【手続補正書】
【提出日】平成17年9月7日(2005.9.7)
【手続補正１】
【補正対象書類名】明細書
【補正対象項目名】全文
【補正方法】変更
【補正の内容】
【書類名】  明細書
【発明の名称】  遊技機
【特許請求の範囲】
【請求項１】  回路基板を収納する基体及び蓋体からなる基板収納ボックスを備えた遊技機において、
前記基板収納ボックスを当該遊技機に取り付ける取付部と、
該取付部に前記基板収納ボックスを非可逆的な固着状態で取り付ける第一の取付固着手段と、該第一の取付固着手段による固着状態を解除したときに前記基体に前記蓋体を再び非可逆的な固着状態で取り付ける第二の取付固着手段と、
前記基体に前記蓋体を非可逆的な固着状態で組み付ける第一の組付固着手段と、該第一の組付固着手段による固着状態を解除したときに前記基体に前記蓋体を再び非可逆的な固着状態で組み付ける第二の組付固着手段と、を備えたことを特徴とする遊技機。
【発明の詳細な説明】
【０００１】
【発明の属する技術分野】
本発明は、回路基板を収納する基体及び蓋体からなる基板収納ボックスを備えた遊技機に関するものである。
【０００２】
【従来の技術】
従来、一般に、パチンコ遊技機やスロットマシン等の遊技機には、多くの回路基板が設けられている。特に、遊技動作を制御する遊技制御回路基板には、マイクロコンピュータを構成するＭＰＵ、ＲＯＭ、ＲＡＭ等の電子素子が多数実装されている。そして、遊技動作を制御するプログラムが格納されるＲＯＭを交換することにより、多くの場合、異なる遊技内容を実現することが可能である。このため、遊技制御回路基板は、通常、封印シールを貼着して密閉状態を担保する樹脂製の基板収納ボックス内に収納して設けられることで、不正行為を防止するようになっていた。また、このような基板収納ボックスは、遊技機に固定された取付台に対して着脱可能に取り付けられていた。
【０００３】
【発明が解決しようとする課題】
ところが、上記従来の基板収納ボックスでは、封印シールを巧みに剥してボックスを開放し、回路基板に不正を行った後に再度封印シールを貼着する不正行為が行われていた。また、この不正行為を防止するためにホログラムシールなどの剥離痕跡の残るシールを封印シールとして用いた場合でも、取付台から基板収納ボックスを取り外し、正規外の回路基板を備えた複製品の基板収納ボックスにすり替える不正が行われていた。本発明は、上記した事情に鑑みなされたもので、その目的とするところは、基板収納ボックスの閉塞を非可逆的な固着状態にすると共に、基板収納ボックスを遊技機に非可逆的な固着状態で取り付けることで、基板収納ボックスを開放する不正、及び複製品の基板収納ボックスにすり替える不正を防止し得る遊技機を提供することにある。
【０００４】
【課題を解決するための手段】
上記目的を達成するために本発明の請求項１が採用した解決手段は、図１、図３、図６、図１０、図１１、図１４、図１６、及び図２０に示すように、回路基板（遊技制御回路基板６１・１８１）を収納する基体（ボックス本体１１０）及び蓋体８０からなる基板収納ボックス（回路基板ボックス６２）を備えた遊技機（弾球遊技機１・１７０・１８０・２１０）において、前記基板収納ボックスを当該遊技機に取り付ける取付部（取付台１５０、取付基板１９０）と、該取付部に前記基板収納ボックスを非可逆的な固着状態で取り付ける第一の取付固着手段（ワンウェイネジ１６０、取付突起１４８ａ、取付片部１５６ａ）と、該第一の取付固着手段による固着状態を解除したときに前記基体に前記蓋体を再び非可逆的な固着状態で取り付ける第二の取付固着手段（ワンウェイネジ１６０、取付突起１４８ｂ，１４８ｃ、取付片部１５６ｂ，１５６ｃ）と、前記基体に前記蓋体を非可逆的な固着状態で組み付ける第一の組付固着手段（ワンウェイネジ１４０、取付片部８３ａ、取付片１３０）と、該第一の組付固着手段による固着状態を解除したときに前記基体に前記蓋体を再び非可逆的な固着状態で組み付ける第二の組付固着手段（ワンウェイネジ１４０、取付片部８３ｂ，８３ｃ、取付片１３０）と、を備えたことを特徴とする。このように構成することにより、基板収納ボックスの閉塞を非可逆的な固着状態にすると共に、基板収納ボックスを遊技機に非可逆的な固着状態で取り付けることで、基板収納ボックスを開放する不正、及び複製品の基板収納ボックスにすり替える不正を防止することができる。また、前記取付部と前記基板収納ボックスとを前記第二の取付固着手段により取り付け、再び非可逆的な固着状態とした場合には、不慮の故障等による基板収納ボックスの交換が行える。更に、前記基体と前記蓋体とを前記第二の組付固着手段により組み付け、再び非可逆的な固着状態とした場合には、再度防犯効果の高い基板収納ボックスに復元することを前提に回路基板の検査が行える。
【０００５】
【発明の実施の形態】
以下、図面を参照して、本発明の実施形態について説明する。まず、図１及び図２を参照して遊技機としての弾球遊技機１の全体の構成について説明する。図１は、実施形態に係る弾球遊技機１の正面図であり、図２は、弾球遊技機１の背面図である。
【０００６】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４と、から構成されている。枠基体３に設けられる主要構成部としては、ガラス板保持枠４、遊技盤４０、上皿１２、灰皿２１を含む下皿１８、操作ハンドル２２、機構板５０、打球発射装置７１がある。また、図示の実施形態では、弾球遊技機１の側方に遊技者に遊技玉を貸し出すためのユニット装置としてのカードユニット装置３０が付設されている。
【０００７】
ガラス板保持枠４には、後述する遊技盤４０の遊技領域をほぼ透視し得る円形透視窓５が開設され、該円形透視窓５の裏面からガラス板が装着されている。また、ガラス板保持枠４には、円形透視窓５の外周に沿って、その上部に装飾ＬＥＤ７が、その左右両側方に装飾蛍光灯６ａ・６ｂが設けられている。この装飾ＬＥＤ７や装飾蛍光灯６ａ・６ｂは、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ・１０ｂが設けられている。なお、上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【０００８】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿１８に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【０００９】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード挿入口３３に差し込まれたカードを返却するためのものである。度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００１０】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１１】
また、枠基体３の下部に取り付けられる下皿１８は、前記上皿１２から溢れた賞球であって余剰玉通路（図示しない）を介して余剰玉払出口１９から排出される余剰の賞球を貯留するものであり、その下皿１８の前面壁には、玉抜き操作レバー２０がスライド可能に取り付けられるようになっている。この玉抜き操作レバー２０を操作することにより、下皿１８に貯留されていた賞球を下方に玉抜きして持ち運び可能な玉箱に移し替えることができる。また、下皿の左側には、灰皿２１が設けられ、右側には、操作ハンドル２２が設けられている。操作ハンドル２２は、後述する打球発射装置７１の発射装置モータ７２の駆動を開始せしめるメインスイッチ及びタッチアンテナ（共に図示しない）を内蔵していると共に、弾発力を調節するものである。
【００１２】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する制御基板ボックス６４内に収納された賞球払出制御基板６３と接続されている。なお、カードユニット装置３０を弾球遊技機１に内蔵しても良い。なお、本実施形態においては、遊技者に遊技玉を貸し出すためのユニット装置としてカードユニット装置３０を例示したが、例えば、紙幣等を挿入し得るユニット装置であっても良い。
【００１３】
次に、遊技盤４０の正面構造について説明すると、遊技盤４０は、前記枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、ドラム状可変表示装置４１や可変入賞球装置４２やドラム状可変表示装置４１の可変表示を許容する始動入賞口４３が設けられると共に、単に打玉を入賞とする入賞口４４・４５、打玉の流下方向及び速度を変化せしめる風車又は多数の障害釘が設けられ、また、遊技領域の最下方には、いずれの入賞領域にも入賞しない打玉が取り込まれるアウト口４６が設けられている。
【００１４】
一方、弾球遊技機１の裏面側には、図２に示すように、機構板５０が開閉自在に設けられている。機構板５０の中央には窓開口５１が開設され、該窓開口５１からは、前記遊技盤４０の裏面に取り付けられた入賞玉集合カバー体５２が貫通されている。入賞玉集合カバー体５２には、中継基板５３と、ドラム表示制御回路基板５４を備えた前記ドラム状可変表示装置４１と、が設けられている。なお、各基板５３・５４は、相互間で接続されている。また、中継基板５３には、遊技盤４０上の各種電気部品が接続されると共に、後述する遊技制御回路基板６１が接続されている。一方、ドラム表示制御回路基板５４には、前記可変表示装置４１を構成する各種電気部品（ドラムモータ、ドラムランプ、ドラムセンサ等）が接続されると共に、遊技制御回路基板６１が接続されている。
【００１５】
また、前記機構板５０には、発生した入賞玉に基づいて所定個数の賞球を払い出す玉タンク５５と、賞球払出装置５６と、玉タンク５５内の玉を賞球払出装置５６に送る玉整列レール５７、カーブ樋５８、及び通路体５９と、玉止め部材６０ａ及び入賞玉排出ソレノイド６０ｂを備えた入賞玉処理装置６０と、遊技制御回路基板６１を収納した回路基板ボックス６２と、賞球払出制御基板６３を収納した制御基板ボックス６４と、ユニット中継基板６５を収納した中継基板ボックス６６と、ターミナル基板６７を収納したターミナル基板ボックス６８と、が設けられている。遊技制御回路基板６１は、ＣＰＵ、ＲＡＭ、及びＲＯＭを備えてドラム式可変表示装置４１や可変入賞球装置４２等の遊技装置の遊技動作を制御するものである。賞球払出制御基板６３は、賞球払出装置５６の動作を制御するものである。ユニット中継基板６５は、弾球遊技機１とカードユニット装置３０との配線を中継するものである。ターミナル基板６７は、遊技制御回路基板６１に電源を供給するものである。また、弾球遊技機１の裏面には、上記した機構板５０以外の領域に、装飾制御基板６９を収納した制御基板ボックス７０と、発射装置モータ７２を備えた打球発射装置７１とが設けられている。装飾制御基板６９は、遊技制御回路基板６１からの指令又はデータに基づいて弾球遊技機１の前面に設けられる電気的装飾部品（ランプ等）の動作を制御するものである。
【００１６】
なお、上記した各種基板及び装置には、所定の配線を接続するためのコネクタが設けられており、特に、ターミナル基板ボックス６８に収納されるターミナル基板６７は、遊技制御回路基板６１に電源を供給するだけでなく、弾球遊技機１に設けられる各種電気的装置、例えば、上記した各基板及び打球発射装置７１にも電源を供給すると共に、弾球遊技機１の内部での信号線の中継、あるいは弾球遊技機１と外部との信号線の中継を行うための端子も設けられている。
【００１７】
次に、各種制御用の回路基板を収納してなる基板ボックスの構成について回路基板ボックス６２を例に挙げて説明する。回路基板ボックス６２は、図３に示すように、前記遊技制御回路基板６１を内部に収納する蓋体８０及びボックス本体１１０の組付体からなり、この組付体が取付台１５０を介して前記機構板５０に取り付けられて構成される。先ず、ボックス６２内に収納される遊技制御回路基板６１について図６を参照して説明する。回路基板６１は、図６に示すように、長方形状のプリント配線基板によって構成されており、その上面の大部分はＲＯＭ等の電子部品７３を実装する電子部品実装領域７４として形成される一方、幅方向一側の領域がコネクタ７５を実装するコネクタ実装領域７６として形成されている。また、回路基板６１には、幅方向一側の両端に止め穴７７が穿設される一方、幅方向他側の両端には係合穴７８が穿設されている。なお、回路基板６１の上面及び下面における止め穴７７の外周には、メッキ部（図示しない）が設けられている。このメッキ部は、回路基板６１を後述の本体枠１１６にビス１１９止めする際、回路基板６１のグランドライン（図示しない）と本体枠１１６とを導通させるためのものであり、ボックス６２内で発生する静電気から回路基板６１を保護するようになっている。また、各実装領域７４・７６が形成された回路基板６１の上面には、電子部品７３とコネクタ７５を電気的に接続する結線パターン７９が形成されている（図７参照）。
【００１８】
また、上記した回路基板６１のコネクタ実装領域７６には、図６に示すように、透明合成樹脂製の被覆部材１６１が取り付けられるようになっている。被覆部材１６１は長板形状をなし、その長手方向の両端側には、ビス１３９で回路基板６１と共締めする取付穴１６２が穿設されている。各取付穴１６２間には、コネクタ実装領域７６に並設されたコネクタ７５を個々に挿通する挿通穴１６３が複数穿設されている。また、被覆部材１６１の幅方向一側の両端部には、被覆部材１６１の長手方向に沿って延びる規制壁１６４が上方に突設され、その規制壁１６４の内向側端部分から被覆部材１６１の下面にかけて規制壁１６５が突設されている。規制壁１６５の下端部には、後述する底板１１１の取付穴１１１ａに嵌合する取付突起１６６が突設されている。
【００１９】
蓋体８０は、図４に示すように、透視性を有する上板８１と、金属製の蓋枠９３と、透視性及び導電性を有する導電板１００と、を備えている。上板８１は、透明合成樹脂の長方形板からなり、その下面側の外周端部には、所定間隔を置いて複数の溶着突起８２が突設されている。また、上板８１の長手方向の両端側には、複数（実施形態中では、３つ）の取付片部８３ａ〜８３ｃが並設されている。取付片部８３ａ〜８３ｃは、各々、上板８１の側壁を構成する部分と、上板８１の上壁を構成する部分と、を有した断面Ｌ字状をなし、上板８１の側壁構成部分においては、各取付片部８３ａ〜８３ｃ間を連結する連結部８４ａ〜８４ｃが一体成形され、上板８１の上壁構成部分においては、各取付片部８３ａ〜８３ｃ間を連結する連結部８５ａ〜８５ｃが一体成形されている。なお、各取付片部８３ａ〜８３ｃ間には、スリット状の溝が形成されており、連結部８４ａ〜８４ｃ・８５ａ〜８５ｃは、取付片部８３ａ〜８３ｃの外壁面から突出した状態で設けられている（図８参照）。また、取付片部８３ａ〜８３ｃの上壁構成部分には、それぞれ取付穴８６ａ〜８６ｃが穿設されており、取付片部８３ｃの隣接部であり且つ上板８１の幅方向一側の両端隅角部には、取付穴８６ｄが穿設されている。上板８１の上面には、凹部９０・９２が形成されており、凹部９０には、弾球遊技機１の機種名を記した機種名シール８４が貼着され、凹部９２には、回路基板ボックス６２を交換した際に書き込む「交換者」「交換日」の各項目を記した交換履歴シール９１が貼着されている。
【００２０】
なお、上記した各取付穴８６ａ〜８６ｄ・８８の上方部分は、ボックス本体１１０との組み付け状態で組み付け用のビスを蓋枠９３の外壁面に入り込ませるような凹形状をなしている（図８（Ａ）参照）。このため、ビスの頭部を切断してビス止めを解除する不正行為が防止できる。また、各連結部８４ａ〜８４ｃ・８５ａ〜８５ｃには、それぞれ回路基板ボックス６２の開放手順を示唆するための刻印「１〜３」が施されている（図７及び図１０参照）。具体的には、取付片部８３ａに対応する連結部８４ａ・８５ａには「１」の刻印が施され、取付片部８３ｂに対応する連結部８４ｂ・８５ｂには「２」の刻印が施され、取付片部８３ｃに対応する連結部８４ｃ・８５ｃには「３」の刻印が施されている。
【００２１】
蓋枠９３は、上面に開口部９４を有し、該開口部９４以外となる残りの上面領域には、上板８１側の複数の溶着突起８２を個々に挿通する挿通穴９５が複数穿設されている。また、蓋枠９３の外周縁部には、全周に亘って側壁が垂下形状されている。蓋枠９３の長手方向両端の側壁は、ボックス本体１１０との組み付け状態で後述する取付片１３０の先端部分と当接する当接壁９７として形成され（図８参照）、その下端側の前後２箇所には、係合爪９６が突設されている。蓋枠９３の幅方向一側の側壁は、回路基板ボックス６２内に収納される回路基板６１の電子部品実装領域７４とコネクタ実装領域７６とを蓋枠９３の内外に仕切る仕切り壁９８として形成されている（図１３参照）。
【００２２】
導電板１００は、上板８１と同様に透明合成樹脂の長方形板からなり、その上面側には黒色塗装を施した導電性繊維１０１が全域に接合して設けられている。導電板１００の外周端部には、蓋枠９３に穿設された挿通穴９５と同様に、上板８１側の溶着突起８２を個々に挿通する挿通穴１０２が複数穿設されている。ここで、導電性繊維について簡単に説明すると、導電性繊維は、大きく分けて金属製（銅、黄銅、ニッケル、アルミニューム等）のフィラメントを網状に織ったものと、合成繊維に導電性粒子（銅、カーボン等）を塗布又は含浸させたものと、があり、いずれの種類の導電性繊維においても、電磁シールド効果及び光線透過率の見地から、５０〜２５０メッシュ（特に、１００〜２００メッシュがよい）程度で、その開口率１０〜９０％（特に、３０〜８０％がよい）であることが望ましい。そして、メッシュという構造上、どうしても透視性が悪くなるが、本実施形態では、これを抑制するために、導電性繊維１０１を金属色を避けた濃色（実施形態中では、黒色）にすることで透視性を向上させている。
【００２３】
なお、本実施形態では、透明合成樹脂板に導電性繊維１０１を接合することで導電板１００を構成しているが、導電板の構成はこれに限定するものではなく、透明合成樹脂板に導電性繊維を埋設して導電板（俗にＣＲＴフィルターなどともいう）を構成してもよい。この場合、その透明合成樹脂板を濃色とすることにより透視性を向上させることができる。また、透明導電層の形成によって導電板を構成してもよい。この透明導電層について簡単に説明すると、透明導電層は、金、白金、銀、錫、アルミニウム、ニッケル、パラジウム、あるいはアンチモン等の金属や酸化インジウムあるいは酸化錫等の金属酸化物、又はこれらの混合物を真空蒸着、スパッタリング、イオンプレーティング、ＣＶＤ等の方法により導電性と透視性を有する厚みの層として樹脂材等の表面に形成されるものである。透明導電層の厚みは、通常５〜１０００ｎｍ程度であり、その電気伝導性は、１００００Ω／□以下、好ましくは１０００Ω／□以下の電気抵抗率が適当である。
【００２４】
しかして、蓋体８０は、図５（Ａ）（Ｂ）に示すように、蓋枠９３の挿通穴９５及び導電板１００の挿通穴１０２を挿通した上板８１の溶着突起８２が超音波溶着されることで、上板８１、蓋枠９３、及び導電板１００の組付体として構成されている。また、このような溶着突起８２の溶着により、導電板１００の導電性繊維１０１は、蓋枠９３と確実に導通される。なお、溶着突起８２の溶着において、上板８１（溶着突起８２）と導電板１００とを同一素材で形成した場合には、溶着突起８２の溶着部分が導電板１００に混じり合い、より一層強固な溶着が可能になる。また、蓋体８０の組み付け方法は、超音波溶着以外にも熱溶着したり、溶剤又は接着剤を用いてもよい。また、このような蓋体８０の組み付け状態において、上板８１の上面と蓋枠９３の側面との間には、長方形状のホログラムシール１０４が貼着され、これによって蓋体８０の組み付け状態が担保されるようになっている。
【００２５】
一方、ボックス本体１１０は、図６に示すように、透視性を有する底板１１１と、金属製の本体枠１１６と、を備えている。底板１１１は、透明合成樹脂の長方形板からなり、その上面側には、回路基板６１の下面を支承するためのフランジ片１１２が四隅近傍部及び幅方向両端の中央部に立設されている。なお、幅方向一側の二隅近傍部に立設されたフランジ片１１２には、後述する係合片１２４との干渉を逃がすためのスリット部１１３が形成されている。一方、幅方向他側の二隅近傍部に立設されたフランジ片１１２の近傍には、後述する取付片１２２を貫通する貫通穴１１４が穿設され、その近傍には、被覆部材１６１の取付突起１６６を嵌合する取付穴１１１ａが穿設されている。また、長手方向一側のほぼ中央部には、切欠部１１５が穿設されている。この切欠部１１５は、回路基板ボックス６２を取付台１５０に取り付けた状態で後述する係合突起１５４との干渉を逃がすための切り欠きである。
【００２６】
本体枠１１６は、下面に開口部１１７を有すると共に、その外周縁部には全周に亘って側壁を有する形状となっている。開口部１１７の内周縁部には、その幅方向両側に断面Ｌ字状をなす係合片１１８が所定の条設長さで形成され、内周縁部の長手方向一側には、係止穴１２０を穿設した係止片１１９が形成されている。また、開口部１１７以外となる残りの下面領域には、複数の軽減穴１２１が穿設されている。下面領域における幅方向一側の両端には、取付穴１２３を穿設した取付片１２２が形成され、下面領域における幅方向他側の両端には、係合突起１２５を備えた係合片１２４が形成されている。また、上記した係合片１１８は、後で詳述する取付台１５０への取り付け時に取付台１５０側の係合レール１５１と係合し易いように先端部分が若干下方に折曲されている。
【００２７】
また、本体枠１１６の幅方向一側壁には、複数の放熱穴１２８が穿設されている。本体枠１１６の幅方向の両側壁には、その長手方向の両端部に補強片１２９が延設されている。この補強片１２９は、延設部分から内向側に折曲されることで本体枠１１６の長手方向両側壁を内側から押さえ、本体枠１１６の強度を向上するようになっている。また、側壁間の隙間を塞ぐので、側壁間を広げて不正に改造しようとしてもできない。なお、このような補強片は、本体枠１１６に限らず蓋枠９３側に設けてもよい。本体枠１１６の長手方向の両側壁の上端部分は、内向側に折曲された取付片１３０として形成されており、該取付片１３０には、蓋体８０側の取付穴８６ａ〜８６ｄと個々に対応する取付穴１３１〜１３４が穿設されている。取付穴１３２〜１３４の近傍には、それぞれ装備用のワンウェイネジ１４０を挿通状態で装備しておく装備穴１３５〜１３７が穿設されている。また、取付片１３０の先端側の前後２箇所には、蓋体８０側の係合爪９６を係止する係止溝１３８が形成されている。さらに、本体枠１１６の長手方向一側の下端部分には、回路基板ボックス６２を取付台１５０に固着状態で取り付けるための取付穴１４９ａ〜１４９ｄを個々に穿設した取付突起１４８ａ〜１４８ｄが形成されている。
【００２８】
しかして、上記した蓋体８０及びボックス本体１１０は、以下に示す組み付けによって回路基板６１を収納した組付体（回路基板ボックス６２）として構成される。先ず、回路基板６１と底板１１１とを重畳して本体枠１１６に装着し、回路基板６１の係合穴７８に係合片１２４の係合突起１２５を挿通する。次に、回路基板６１のコネクタ７５を挿通穴１５８に挿通させて被覆部材１６１をコネクタ実装領域７６に装着し、被覆部材１６１の取付穴１６２と回路基板６１の止め穴７７を取付片１２２の取付穴１２３にビス１３９で共締めする。これにより、被覆部材１６１及び回路基板６１が底板１１１を挟んで本体枠１１６にビス１３９止めされた状態となる（図１３（Ａ）参照）。なお、このような回路基板６１の取り付け固定において、止め穴７７と取付穴１２３との穴位置を合せる際、回路基板６１が若干ズレることで係合突起１２５と係合穴７８とが係合し、ビス止めされない回路基板６１の幅方向一側も固定される。また、コネクタ実装領域７６は、図７及び図１３に示すように、その上面に被覆部材１６１が取り付けられることで、コネクタ７５以外の部分、言い換えれば結線パターン７９を形成した部分が被覆部材１６１によって被覆される。このようにして結線パターン７９を被覆した被覆部材１６１は、取付突起１６６が底板１１１の取付穴１１１ａに嵌合することで底板１１１に対して位置決めされている。
【００２９】
次に、上面が開放しているボックス本体１１０に蓋体８０を被せる。このとき、蓋体８０側の４つの係合爪９６は、図４及び図６に示すように、それぞれＣ〜Ｆ方向への挿入によってボックス本体１１０側の係止溝１３８に係止され、ボックス本体１１０及び蓋体８０の位置決め的な取り付けが行われる。なお、このような係合爪９６と係止溝１３８の係合は、図１２（Ａ）（Ｃ）に示すように、先ず、係合爪９６を係止溝１３８内に挿し込み、次いで図１２（Ｂ）（Ｄ）に示すように、蓋体８０（係合爪９６）をスライド移動させて係止溝１３８と係合させることで行われる。この係合状態は、固着状態を解除しなければ解除されないので、固着部の代わりになる。このため、固着箇所を少なくでき、組み付け易くコストダウンが招来できる。つまり、四隅にこのような係合部があれば、四隅を全て固着しなくてもよい（四隅を開けることができない）。また、蓋枠９３の仕切り壁９８は、回路基板６１の電子部品実装領域７４とコネクタ実装領域７６とを蓋体８０の内外に仕切った状態にある。これにより、蓋体８０を取り外すことなく、コネクタ７５への配線取り付け及び配線取り外しが可能になる。
【００３０】
そして、図４及び図６に示すＡ・Ｂ方向において、取付片部８３ａの取付穴８６ａを本体枠１１６の取付穴１３１にワンウェイネジ（ビス）１４０で止め（図８（Ａ）参照）、そのビス１４０止め部分を長方形状のホログラムシール１０５で封印する。これにより、蓋体８０とボックス本体１１０との内部空間に回路基板６１を封止状態で収納した組付体（回路基板ボックス６２）が構成される。なお、このような回路基板６１の封止状態において、外部に露出して設けられるコネクタ実装領域７６は、結線パターン７９が被覆部材１５６で被覆されている。このため、コネクタ実装領域７６を外部に露出して設けた構成でも、結線パターン７９を利用した不正行為を防止することができる。また、このような組み付け状態で、仕切り壁９８の先端部分は、被覆部材１６１と当接することにより、各規制壁１６４・１６５を蓋体８０の内側に配している。これにより、不正行為でビス１３９が取り外された場合でも、回路基板６１の封止状態（蓋体８０の固着状態）を解除しない限り被覆部材１６１が取り外せないようになっている。
【００３１】
また、上記した蓋体８０とボックス本体１１０との組み付け状態において、各装備穴１３５〜１３７に挿通されたワンウェイネジ１４０は、その上方から蓋体８０が覆いかぶさるようにして取り付けられることで、装備穴１３５〜１３７から外れることなくボックス６２内に収納されている。即ち、このような収納状態で、蓋体８０の各取付片部８３ｂ・８３ｃ及び取付穴８６ｄ近傍の上壁面が個々にワンウェイネジ１４０の飛び出しを阻止している。なお、ワンウェイネジ１４０の装備方法は、実施形態中に記載のものに限定しない。例えば、ボックス６２の組み付け状態で、ワンウェイネジ１４０の頭部を蓋体８０（取付片部など）によって完全に押え込む構成としたり、あるいはワンウェイネジ１４０の径と装備穴１３５〜１３７の径をほぼ同じ構成としてもよい。このような構成とした場合には、回路基板ボックス６２の閉塞状態で、装備されたワンウェイネジ１４０のガタ付きを押えることができる。
【００３２】
ここで、ワンウェイネジ１４０について説明する。ワンウェイネジ１４０は、ネジ締め方向にしか回らない特殊なネジであり、一旦締め付けるとネジを破壊しない限り取り外すことができない。具体的には、図９（Ａ）（Ｂ）に示すように、その頭部１４１に設けられたネジ溝が当接面部１４２と凹部１４３と中心穴部１４４とから構成されている。そして、図９（Ｃ）（Ｄ）に示す特殊マイナスドライバー１４５でネジ１４０締めを行う場合には、ドライバー１４５の中心軸部１４６を中心穴部１４４に差し込み、この状態からドライバー１４５の当接片部１４７を当接面部１４２に当接させて一方向（図９（Ａ）の時計回り方向）に頭部１４１を回転させることでネジ１４０締めを行う。一方、ドライバー１４５で頭部１４１を他方向（図９（Ａ）の反時計回り方向）に回転させてネジ１４０を取り外そうとした場合には、ドライバー１４５が凹部１４３に入り込んで滑ってしまい頭部１４１を回転させることができずにネジ１４０の取り外しが行えない。なお、通常のマイナスドライバーでも頭部１４１を一方向に回転させてネジ１４０締めすることは可能であるが、特殊マイナスドライバー１４５のように、中心軸部１４６をワンウェイネジ１４０の中心穴部１４４に差し込んでワンウェイネジ１４０との位置決めを行った方が締め付け作業が容易に行える。
【００３３】
また、上記した蓋体８０及びボックス本体１１０の組み付けを行うビス１４０は、螺着状態で蓋枠９３の外壁面に入り込む構成となっている。このため、ビス１４０止め部分を封印するホログラムシール１０５は、突起のない平坦面上に貼付され、シール１０５の剥れ及び損傷が防止できると共に、シール１０５に対する不正行為の判別が容易になる。ここで、ホログラムシールについて簡単に説明すると、ホログラムシールは、ホログラム層と光反射層と接着剤層とを備え、ホログラム層に形成されるホログラム図柄を偽造困難な図柄に構成することで、不正行為に伴うシールの貼り替えを防止するようになっている。このホログラム図柄は、ホログラムシールの表面に入射したコヒーレント光（レーザー光）がホログラム層のエンボス面を透して光反射層に入り、光反射層からホログラム干渉光としてホログラムシールの外方に反射されることで形成される。また、ホログラムシールを剥した場合は、もう一度貼り直してもホログラム図柄が元の形状にならないので、剥した痕跡が残る。
【００３４】
以上のように、回路基板ボックス６２は、蓋体８０とボックス本体１１０とのビス１４０止め部分をホログラムシール１０５で封印することにより回路基板６１の被覆状態を担保している。また、ボックス６２内に設けられた導電板１００によって電磁シールド効果を奏し得るようになっている。さらに、回路基板ボックス６２は、その上壁面を構成する上板８１と導電板１００、及び下壁面を構成する底板１１１をそれぞれ透視性を有する素材から形成することで、回路基板６１の実装面（上面）及びハンダ面（下面）を外部から透視できるようにしている。このため、回路基板６１に不正な工作（例えば、ジャンパー配線を接続したり、電子部品を実装したりする不正工作）が施された場合には、直ちにその不正工作が判るようになっている。
【００３５】
次に、上記した回路基板ボックス６２を機構板５０に取り付けるための取付台１５０について図３を参照して説明する。取付台１５０は、図３に示すように、合成樹脂（金属でもよい）によって形成された長方形板からなり、その基板中央には断面逆Ｌ字状をなす一対の係合レール１５１が所定間隔を置いて条設されている。なお、係合レール１５１の条設方向は、取付台１５０の長辺部に沿った左右方向となっている。取付台１５０の各長辺部（前後端縁）には、基板面に対して直交するガイド片１５２が突設されている。取付台１５０の右側端部には、弾性変形する解除レバー１５３が形成されており、該解除レバー１５３の基部には、ボックス本体１１０側の係止穴１２０と係合する係合突起１５４が突設されている。また、取付台１５０の基板面には、機構板５０側の取付ボス（図示しない）に取付台１５０をビス止めするための止め穴１５５が穿設されている。
【００３６】
一方、上記した取付台１５０の左側端部には、複数（本実施形態では、３つ）の取付片部１５６ａ〜１５６ｃが並設されている。取付片部１５６ａ〜１５６ｃには、それぞれ取付台１５０の基板面との間を連結する連結部１５７ａ〜１５７ｃ・１５８ａ〜１５８ｃが一体成形されている。なお、各取付片部１５６ａ〜１５６ｃと取付台１５０の基板面との間には、スリット状の溝が形成されており、連結部１５７ａ〜１５７ｃ・１５８ａ〜１５８ｃは、取付台１５０の基板面から上方に突出した状態で設けられている。また、取付片部１５６ａ〜１５６ｃには、それぞれ取付穴１５９ａ〜１５９ｃが穿設されており、取付片部１５６ｃに隣接する取付台１５０の基板面には、取付穴１５９ｄが穿設されている。これらの取付穴１５９ａ〜１５９ｄは、本体枠１１６の取付穴１４９ａ〜１４９ｄと個々に対応するようになっている。
【００３７】
しかして、上記した取付台１５０は、止め穴１５５を介して機構板５０にビス止めされることで機構板５０上の所定部位に取り付けられる。また、この取付台１５０に回路基板ボックス６２を取り付けるときには、取付台１５０に対してボックス６２を左側方からスライド装着させる。このとき、取付台１５０側の係合レール１５１は、ボックス６２側の係合片１１８と係合した状態にあり、ガイド片１５２は、ボックス６２のスライド移動を案内する。その後、このようなボックス６２のスライド移動によって取付台１５０側の解除レバー１５３が下方に弾性変形し、遂には、ボックス６２側の係止穴１２０が取付台１５０側の係合突起１５４と係合してボックス６２が装着される。そして、回路基板ボックス６２の取付突起１４８ａに穿設された取付穴１４９ａを取付片部１５６ａの取付穴１５９ａにワンウェイネジ１６０で共締めすることにより、回路基板ボックス６２を取付台１５０に対して非可逆的な固着状態で取り付ける。
【００３８】
ところで、上記取付台１５０を介した回路基板ボックス６２の弾球遊技機１への取り付け状態では、図２に示すように、被覆部材１６１の配設側が上側になるように取り付けられる。言い換えれば、図１２に示す回路基板ボックス６２の左側部分が上側になるように取り付けられる。このため、後述する回路基板６１の検査等によって蓋体８０とボックス本体１１０との固着状態を解除した場合でも、蓋体８０側の係合爪９６とボックス本体１１０側の係止溝１３８との係合状態（係合爪９６が係止溝１３８に引っ掛かって蓋体８０がボックス本体１１０にぶら下がった状態）が維持されるので、回路基板ボックス６２の開閉作業が容易になる。
【００３９】
次に、上記した回路基板ボックス６２を回路基板６１の検査（出荷納入後にＲＯＭが正規のものか否かを検査する）のために開放し、その後再度閉塞状態に復元する手順を図１０に基づいて説明する。先ず、図１０（Ａ）に示す回路基板ボックス６２の閉塞状態において、取付片部８３ａのビス１４０止め部分に貼着されたホログラムシール１０５を剥した後、刻印「１」を目印に各連結部８４ａ・８５ａをニッパー等の切断工具で切断する。これにより、取付片部８３ａは、蓋体８０から完全に分離され且つワンウェイネジ１４０によってボックス本体１１０に固着された状態となる。即ち、ボックス本体１１０に対する蓋体８０の固着が全て解除されて、回路基板ボックス６２の開放が可能になる。そして、図１０（Ｂ）に示すように、ボックス本体１１０から蓋体８０を取り外して回路基板６１の検査を行う。また、このような蓋体８０の取り外し（連結部８４ａ・８５ａの切断）によって、各装備穴１３５〜１３７に挿通されたワンウェイネジ１４０は、取り出し可能な状態となり、このうち装備穴１３５に挿通されたワンウェイネジ１４０をボックス６２の復元用に取り出す。その後、回路基板ボックス６２を閉塞するときには、図１０（Ｃ）に示すように、蓋体８０をボックス本体１１０に被せた状態で、取り出したワンウェイネジ１４０を刻印「２」を目印に取付片部８３ｂの取付穴８６ｂに螺着する。これにより、取付片部８３ｂの取付穴８６ｂとこれに対応する本体枠１１６の取付穴１３２とがワンウェイネジ１４０によって共締めされる。そして、この取付片部８３ｂのビス１４０止め部分に新しいホログラムシール１０５を貼着することで、回路基板ボックス６２が再度閉塞状態に復元される。
【００４０】
その後、回路基板ボックス６２を再度検査（２回目の検査）する場合には、刻印「２」を目印に各連結部８４ｂ・８５ｂを切断する。これにより、取付片部８３ｂを蓋体８０から分離させて回路基板ボックス６２を開放する。後は同様に、各連結部８４ｂ・８５ｂの切断に伴って取り出したワンウェイネジ１４０（装備穴１３６のワンウェイネジ１４０）を刻印「３」を目印に取付片部８３ｃの取付穴８６ｃに螺着して新しいホログラムシール１０５を貼着する。これにより、回路基板ボックス６２が再度閉塞状態に復元される。それ以降、回路基板ボックス６２を検査（３回目の検査）する場合には、刻印「３」を目印に各連結部８４ｃ・８５ｃを切断することで、取付片部８３ｃを蓋体８０から分離させて回路基板ボックス６２を開放する。また、回路基板ボックス６２の復元時には、各連結部８４ｃ・８５ｃの切断に伴って取り出したワンウェイネジ１４０（装備穴１３７のワンウェイネジ１４０）を最後に残った取付穴８６ｄに螺着して新しいホログラムシール１０５を貼着する。
【００４１】
ところで、上記した回路基板ボックス６２の閉塞状態においては、連結部８４ａ〜８４ｃ・８５ａ〜８５ｃを切断して取付片部８３ａ〜８３ｃと上板８１との連結を解除しない限り、回路基板ボックス６２が開放できないようになっている。従って、回路基板６１の検査以外で連結部８４ａ〜８４ｃ・８５ａ〜８５ｃが切断されるような場合は、この切断により回路基板６１に不正が行われたことが即座に且つ確実に判別できるため、回路基板ボックス６２の防犯効果を高めることができる。また、回路基板ボックス６２の構成では、上板８１の溶着突起８２を切り離しても、導電板１００が回路基板６１上に落ち込むため、溶着突起８２を切り離した隙間から回路基板６１に細工をしようとしても導電板１００がそれを阻止する。また、ホログラムシール１０５を剥した場合には、ホログラムシール１０５の痕跡がしっかりと残るため不正が行われたことが即座に分かる。
【００４２】
次に、回路基板６１の不慮の故障等によって回路基板ボックス６２を交換する手順を図１１に基づいて説明する。先ず、図１１（Ａ）に示す回路基板ボックス６２と取付台１５０との固着状態において、各連結部１５７ａ・１５８ａをニッパー等の切断工具で切断する。これにより、取付片部１５６ａは、取付台１５０から完全に分離され且つワンウェイネジ１６０によって回路基板ボックス６２に固着された状態となる。即ち、回路基板ボックス６２は、取付台１５０との固着が解除されて取付台１５０からの取り外しが可能になる。そして、解除レバー１５３を下方に押して係止穴１２０と係合突起１５４との係合を解除し、この状態からボックス６２を図１１（Ｂ）に示すＧ方向にスライドさせることで取付台１５０から取り外す。その後は、図１１（Ｃ）に示すように、新しい回路基板ボックス６２’を取付台１５０にスライド装着し、取付突起１４８ｂを取付片部１５６ｂにワンウェイネジ１６０で止めることにより、回路基板ボックス６２’を取付台１５０に対して非可逆的な固着状態で取り付ける。
【００４３】
なお、上記した回路基板ボックスの交換作業は、回路基板ボックスのメーカー側の営業マンが行い、その営業マンは、図１１（Ｄ）に示すように、交換履歴シール９１に自分の氏名（交換者「佐久間」）と交換日「Ｈ９年４月１日」を記入することで、交換した旨を回路基板ボックス６２’に明記するようになっている。さらには、古いボックス６２を営業マンが持ち帰った際、交換日、製造番号、遊技店名等をメーカー側の保守管理用コンピューターにインプットしておけば、回路基板ボックスが不正にすり替えられたか否かの判断を容易にすることができる。即ち、メーカー側にその記録がなければ偽造ということになる。当然、交換履歴シール９１に交換の記述がなくボックスの固着が解除されていれば、このことから不正を判断することもできる。また、製造番号は、シール８９・９１に書かれていてもよいし、封印用のシール１０４・１０５に書かれていてもよい。また、交換履歴シール９１は、交換時に貼り付けられるものでもよいし、交換時に新しい回路基板ボックスに貼り替えられるものでもよい。さらに、履歴シールは、検査履歴を記入するものであってもよい。
【００４４】
その後、回路基板ボックス６２’を再度交換（２回目の交換）する場合には、各連結部１５７ｂ・１５８ｂを切断して回路基板ボックス６２’と取付台１５０との固着を解除し、回路基板ボックス６２’を取付台１５０から取り外す。次に、新しい回路基板ボックスを取付台１５０にスライド装着し、その後、新しい回路基板ボックスの取付突起１４８ｃを取付片部１５６ｃにワンウェイネジ１６０で止めることにより、回路基板ボックスを取付台１５０に対して非可逆的な固着状態で取り付ける。それ以降、回路基板ボックスを交換（３回目の交換）する場合には、各連結部１５７ｃ・１５８ｃの切断によって古い回路基板ボックスを取付台１５０から取り外す。そして、新しい回路基板ボックスを取付台１５０にスライド装着して、取付突起１４８ｄを取付片部１５６ｄにワンウェイネジ１６０で止める。これにより、回路基板ボックスの３回目の交換が完了する。
【００４５】
また、上記した回路基板ボックス６２に収納される遊技制御回路基板６１は、図２に示すように、各種コネクタ７５に配線１６７が接続されるものであるが、この配線１６７には、１つのコネクタ７５を１単位とした複数本毎に配線チューブ１６８が取り付けられている。配線チューブ１６８は、無色透明なビニールからなり、複数本の配線１６７を束ねて配線１６７の外周を覆うことにより、外部から配線１６７を保護するようになっている。このため、不正基板を配線１６７に接続して配線チューブ１６８内に隠す不正が行われた場合でも、無色透明な配線チューブ１６８を透して不正箇所が容易に発見できるようになっている。
【００４６】
以上のように、本実施形態に係る弾球遊技機１は、遊技制御回路基板６１を収納するボックス本体１１０及び蓋体８０からなる回路基板ボックス６２と、該回路基板ボックス６２を弾球遊技機１に取り付ける取付台１５０と、を備え、該取付台１５０と回路基板ボックス６２とを取付固着手段（ワンウェイネジ１６０、取付突起１４８ａ〜１４８ｃ、取付片部１５６ａ〜１５６ｃ）により取り付け、非可逆的な固着状態とすると共に、ボックス本体１１０と蓋体８０とを組付固着手段（ワンウェイネジ１４０、取付片部８３ａ〜８３ｃ、取付片１３０）により組み付け、非可逆的な固着状態としたことを特徴とする。このように構成することにより、回路基板ボックス６２の閉塞を非可逆的な固着状態にすると共に、回路基板ボックス６２を弾球遊技機１（取付台１５０）に非可逆的な固着状態で取り付けることで、回路基板ボックス６２を開放する不正、及び複製品の回路基板ボックスにすり替える不正を防止することができる。
【００４７】
また、前記取付固着手段は、第一及び第二の取付固着手段を含み、第一の取付固着手段（ワンウェイネジ１６０、取付突起１４８ａ、取付片部１５６ａ）による固着状態を解除するための連結部１５７ａ・１５８ａを設け、該連結部１５７ａ・１５８ａの解除状態で取付台１５０と回路基板ボックス６２とを前記第二の取付固着手段（ワンウェイネジ１６０、取付突起１４８ｂ・１４８ｃ、取付片部１５６ｂ・１５６ｃ）により取り付け、再び非可逆的な固着状態としたので、不慮の故障等による回路基板ボックス６２の交換が行える。また、本実施形態では、第二の取付固着手段による固着状態を解除するための連結部１５７ｂ・１５７ｃ・１５８ｂ・１５８ｃも設けているので、回路基板ボックスの交換が複数回行える。
【００４８】
また、前記組付固着手段は、第一及び第二の組付固着手段を含み、第一の組付固着手段（ワンウェイネジ１４０、取付片１３０、取付片部８３ａ）による固着状態を解除するための連結部８４ａ・８５ａを設け、該連結部８４ａ・８５ａの解除状態でボックス本体１１０と蓋体８０とを前記第二の組付固着手段（ワンウェイネジ１４０、取付片１３０、取付片部８３ｂ・８３ｃ）により組み付け、再び非可逆的な固着状態としたので、再度防犯効果の高い回路基板ボックス６２に復元することを前提に回路基板６１の検査が行える。また、本実施形態では、第二の組付固着手段による固着状態を解除するための連結部８４ｂ・８４ｃ・８５ｂ・８５ｃも設けているので、再度防犯効果の高い回路基板ボックス６２に復元することを前提に回路基板６１の検査が複数回行える。
【００４９】
なお、上記した実施形態（第一実施形態）は、本発明を限定するものではなく、本発明の範囲内で種々の変更が可能である。以下、その他の構成を第二乃至第六の実施形態として説明する。なお、以下の説明では、前述する実施形態と同様の構成部材については同一の符号を付記すると共に、その詳細な説明は省略する。先ず、第一実施形態では、取付台１５０を介して回路基板ボックス６２を機構板５０に取り付けると共に、取付台１５０と機構板５０との取り付けを着脱自在なビス止めによって行っているが、この構成に限定するものではない。第二実施形態の弾球遊技機１７０では、図１４及び図１５に示すように、回路基板ボックス６２を取り付けるための取付台１５０が取付基板１７３を介して遊技盤４０に取り付けられている。取付基板１７３は方形状の平板からなり、その左右両端には、折曲形状をなすフランジ部１７４が形成されている。取付基板１７３の平板部分には、取付穴１７７が穿設されており、フランジ部１７４には、取付穴１７５が穿設されている。しかして、取付基板１７３は、フランジ部１７４の取付穴１７５にワンウェイネジ１７６が螺着されて遊技盤４０の裏面に非可逆的な固着状態で取り付けられる。
【００５０】
また、上記した取付基板１７３に対しては、その取付穴１７７に取付台１５０の止め穴１５５がワンウェイネジ１７８で共締めされることにより、取付台１５０が非可逆的な固着状態で取付基板１７３に取り付けられる。そして、このようにして取り付けられた取付台１５０に、回路基板ボックス６２（第一実施形態と同様）が前記第一実施形態と同様に取り付けられる。また、弾球遊技機１７０の裏面側には、機構板１７１が開閉自在に設けられ、該機構板１７１の中央には、遊技盤４０の裏面側に突出して設けられるドラム式可変表示装置４１と前述の回路基板ボックス６２を貫通する窓開口１７２が開設されている。
【００５１】
以上のように、第二実施形態に係る弾球遊技機１７０は、取付基板１７３を遊技盤４０にワンウェイネジ１７６で固着し、その取付基板１７３にワンウェイネジ１７８で固着した取付台１５０に回路基板ボックス６２を取り付けている。このため、遊技盤４０の入れ替えと同時に回路基板ボックス６２を交換することができ、ひいては回路基板ボックス６２の交換に伴って余分な構成部材を交換する必要がなくなる。例えば、前記第一実施形態のように回路基板ボックス６２を機構板５０に取り付けた場合には、交換する必要のない機構板５０まで取り替えなければならなくなる。また、第二実施形態では、取付台１５０と取付基板１７３を介して遊技盤４０に回路基板ボックス６２を取り付けると共に、回路基板ボックス６２の取付部をワンウェイネジによる固着部分（取付片部１５６ａ〜１５６ｃ）のみとしているが、この構成に限定するものではなく、以下に示す第三実施形態の構成でもよい。
【００５２】
第三実施形態の弾球遊技機１８０では、図１６に示すように、遊技制御回路基板１８１を収納した回路基板ボックス１８２が取付基板１９０を介して遊技盤４０に取り付けられている。取付基板１９０は方形状の平板からなり、その左右両端には、折曲形状をなすフランジ部１９１が形成されている。取付基板１９０の平板部分には、前記取付台１５０と同様に切断可能な取付片部１９３ａ〜１９３ｃが形成されている。また、取付基板１９０には、回動自在な係止レバー１９４と、左右一対の係止部１９５ａ・１９５ｂと、が形成されている。一方、回路基板ボックス１８２には、前記回路基板ボックス６２の取付突起１４８ａ〜１４８ｄと同様な取付突起１８３ａ〜１８３ｄが形成されると共に、係止レバー１９４と係合する係合片部１８４と、係止部１９５ａ・１９５ｂと係合する左右一対の係合爪１８５ａ・１８５ｂと、が形成されている。
【００５３】
しかして、上記した取付基板１９０は、フランジ部１９１の取付穴（図示しない）にワンウェイネジ１９２が螺着されて遊技盤４０の裏面に非可逆的な固着状態で取り付けられる。また、回路基板ボックス１８２は、係合爪１８５ａ・１８５ｂが係止部１９５ａ・１９５ｂに係止されると共に、係合片部１８４が係止レバー１９４に係止され、この状態で取付突起１８３ａが取付片部１９３ａにワンウェイネジ１９６で止められている。
【００５４】
以上のように、第三実施形態に係る弾球遊技機１８０は、取付基板１９０を遊技盤４０にワンウェイネジ１９２で固着し、その取付基板１９２に回路基板ボックス１８２を固着状態で取り付けている。即ち、第三実施形態では、取付基板１９０を本発明の取付台として構成としている。また、回路基板ボックス１８２の取付部は、ワンウェイネジによる固着部分（取付片部１９３ａ〜１９３ｃ）のみならず、係止レバー１９４及び係止部１９５ａ・１９５ｂを設けている。
【００５５】
また、前記第一実施形態では、ボックス本体１１０と蓋体８０とを非可逆的な固着状態で組み付ける組付固着手段（ワンウェイネジ１４０、取付片部８３ａ〜８３ｃ、取付片１３０）と、回路基板ボックス６２を弾球遊技機１側（取付台１５０）に非可逆的な固着状態で取り付ける取付固着手段（ワンウェイネジ１６０、取付突起１４８ａ〜１４８ｃ、取付片部１５６ａ〜１５６ｃ）と、を別体に構成している。このような別体に構成したものではないが、これと類似した技術思想である組付固着手段と取付固着手段とを同一に設定した構成の実施形態（以下、この実施形態を便宜的に「第四実施形態」という。）として図１７乃至図１９（Ａ）を参照して説明する。第四実施形態の弾球遊技機２００は、図１７及び図１８に示すように、遊技制御回路基板２０１を収納するボックス本体２０３及び蓋体２０４からなる回路基板ボックス２０２と、遊技盤４０にワンウェイネジ１７６で取り付けられた取付基板１７３に非可逆的に固着され且つ回路基板ボックス２０２を非可逆的な固着状態で取り付ける取付台１５０’と、を備えている。蓋体２０４は、図１９（Ａ）に示すように、回路基板ボックス２０２の上面を構成する上板２０５を備え、該上板２０５の側壁の下端には、前記取付突起１４８ａ〜１４８ｃと同様な取付突起２０５ａ〜２０５ｃが形成されている。なお、この取付突起２０５ａ〜２０５ｃは、回路基板ボックス２０２の長手方向両端に位置する各側面壁にそれぞれ形成されている。一方、取付台１５０’は、前記取付台１５０とほぼ同様に構成されるが、解除レバー１５３が形成された長手方向の一側にも他側と同一の取付片部１５６ａ〜１５６ｃが形成されている。
【００５６】
しかして、第四実施形態の回路基板ボックス２０２は、上板２０５の取付突起２０５ａが取付台１５０’の取付片部１５６ａにワンウェイネジ（ビス）１６０で取り付けられることにより、取付台１５０’と回路基板ボックス２０２との取り付け及びボックス本体２０３と蓋体２０４との組み付けが同時に非可逆的な固着状態で行われる。また、第一実施形態の回路基板ボックス６２と同様に、取付片部１５６ａ〜１５６ｃと一体成形された連結部１５７ａ〜１５７ｃ・１５８ａ〜１５８ｃを切断することで、回路基板ボックス２０２の検査あるいは交換が複数回可能である。また、第四実施形態の構成では、固着箇所を必要最小限に削減することができるので、前記第一実施形態の効果に加えて、コストダウンが招来できると共に、基板収納ボックスの組み付け作業が容易になる。なお、第四実施形態では、ボックス本体２０３と蓋体２０４との組み付けをビス１６０止めでのみ行っているが、この構成に限定するものではない。例えば、図１９（Ｂ）に示す第五実施形態のように、上板２０５の側壁内面に係合爪２０６を形成する一方、ボックス本体２０３側にその係合爪２０６を係止する係止穴２０７を穿設してもよい。この場合、回路基板ボックス２０２を取付台１５０’にビス１６０止めしなくてもボックス本体２０３と蓋体２０４とを仮止め状態に組み付けることができる。このため、回路基板２０１を収納したボックス単体の状態で回路基板ボックス２０２が扱えるので、製造時も回路基板２０１を保護することができる。
【００５７】
また、前記第一乃至第五の実施形態では、弾球遊技機用の遊技制御回路基板を収納する回路基板ボックスに本発明を適用しているが、この構成に限定するものではなく、内部の回路基板に対する不正行為を防止する必要がある基板収納ボックスであれば、いずれの基板収納ボックスに本発明を適用してもよい。例えば、図２０に示す第六実施形態の弾球遊技機２１０のように、賞球払出制御基板６３を収納する制御基板ボックス６４、装飾制御基板６９を収納する制御基板ボックス７０、及び表示制御基板２１１を収納する制御基板ボックス２１２に対して本発明を適用してもよい。即ち、第六実施形態では、制御基板ボックス６４に、前記回路基板ボックス６２の取付片部８３ａ〜８３ｃと同様な取付片部６４ａ〜６４ｃを設けることで、制御基板ボックス６４を非可逆的な固着状態で組み付け、制御基板ボックス６４を弾球遊技機２１０に取り付ける取付台２１３に、前記取付台１５０の取付片部１５６ａ〜１５６ｃと同様な取付片部２１３ａ〜２１３ｃを設けることで、制御基板ボックス６４を非可逆的な固着状態で弾球遊技機２１０（取付台２１３）に取り付けている。また、制御基板ボックス７０に、取付片部８３ａ〜８３ｃと同様な取付片部７０ａ〜７０ｃを設けることで、制御基板ボックス７０を非可逆的な固着状態で組み付け、制御基板ボックス７０を弾球遊技機２１０に取り付ける取付台２１４に、取付片部１５６ａ〜１５６ｃと同様な取付片部２１４ａ〜２１４ｃを設けることで、制御基板ボックス７０を非可逆的な固着状態で弾球遊技機２１０（取付台２１４）に取り付けている。また、制御基板ボックス２１２に、取付片部８３ａ〜８３ｃと同様な取付片部２１２ａ〜２１２ｃを設けることで、制御基板ボックス２１２を非可逆的な固着状態で組み付け、制御基板ボックス２１２を弾球遊技機２１０に取り付ける取付台２１５に、取付片部１５６ａ〜１５６ｃと同様な取付片部２１５ａ〜２１５ｃを設けることで、制御基板ボックス２１２を非可逆的な固着状態で弾球遊技機２１０（取付台２１５）に取り付けている。
【００５８】
なお、上記した各制御基板ボックス６４・７０・２１２は、それぞれ回路基板ボックス６２と同様に構成されている。具体的に、制御基板ボックス６４・７０・２１２の各上板６４ｄ・７０ｄ・２１２ｄは、透明な合成樹脂から形成されることで、収納される各基板６３・６９・２１１は、開口６４ｅ・７０ｅ・２１２ｅを透して外部から視認できるようになっている。また、各制御基板ボックス６４・７０・２１２には、それぞれ電磁シールド効果を奏する導電板（図示しない）が設けられている。
【００５９】
また、以上記載の第一乃至第六の実施形態では、本発明を弾球遊技機に適用した場合を例示しているが、弾球遊技機以外の遊技機（例えば、スロットマシンやコインゲーム等）に本発明を適用し得ることは言うまでもない。また、固着方法は、実施形態中に記載のようなワンウェイネジによる固着方法に限定せず、リベット、破断ネジ、溶着、あるいは接着等による固着方法を採用してもよい。
【００６０】
なお、以上説明した実施形態から把握できる発明として以下のものがある。
（１）前記第二の組付固着手段は、少なくとも締結部材（ワンウェイネジ１４０）を含み、その締結部材を前記基板収納ボックスに装備したことを特徴とする。このように構成することにより、基板収納ボックスの検査毎に締結部材を用意する必要がなく、基板収納ボックスの検査後の復元作業が行い易くなる。
（２）前記第二の取付固着手段を複数設けると共に、該複数の第二の取付固着手段による固着状態を解除するための第二の取付解除部（連結部１５７ｂ・１５７ｃ・１５８ｂ・１５８ｃ）を設けたことを特徴とする。このように構成することにより、基板収納ボックスの交換が複数回行える。
（３）前記第二の組付固着手段を複数設けると共に、該複数の第二の組付固着手段による固着状態を解除するための第二の組付解除部（連結部８４ｂ・８４ｃ・８５ｂ・８５ｃ）を設けたことを特徴とする。このように構成することにより、再度防犯効果の高い基板収納ボックスに復元することを前提に回路基板の検査が複数回行える。
【００６１】
【発明の効果】
以上、説明したところから明らかなように、本発明の請求項１においては、回路基板を収納する基体及び蓋体からなる基板収納ボックスを備えた遊技機において、前記基板収納ボックスを当該遊技機に取り付ける取付部と、該取付部に前記基板収納ボックスを非可逆的な固着状態で取り付ける第一の取付固着手段と、該第一の取付固着手段による固着状態を解除したときに前記基体に前記蓋体を再び非可逆的な固着状態で取り付ける第二の取付固着手段と、前記基体に前記蓋体を非可逆的な固着状態で組み付ける第一の組付固着手段と、該第一の組付固着手段による固着状態を解除したときに前記基体に前記蓋体を再び非可逆的な固着状態で組み付ける第二の組付固着手段と、を備えたことを特徴とする。このように構成することにより、基板収納ボックスの閉塞を非可逆的な固着状態にすると共に、基板収納ボックスを遊技機に非可逆的な固着状態で取り付けることで、基板収納ボックスを開放する不正、及び複製品の基板収納ボックスにすり替える不正を防止することができる。また、前記取付部と前記基板収納ボックスとを前記第二の取付固着手段により取り付け、再び非可逆的な固着状態とした場合には、不慮の故障等による基板収納ボックスの交換が行える。更に、前記基体と前記蓋体とを前記第二の組付固着手段により組み付け、再び非可逆的な固着状態とした場合には、再度防犯効果の高い基板収納ボックスに復元することを前提に回路基板の検査が行える。
【図面の簡単な説明】
【図１】
本発明の一実施形態における弾球遊技機を示す正面図である。
【図２】
弾球遊技機を示す背面図である。
【図３】
回路基板ボックス及び取付台を示す斜視図である。
【図４】
蓋体を示す分解斜視図である。
【図５】
同図（Ａ）（Ｂ）はそれぞれ溶着突起の溶着状態を示す説明図である。
【図６】
回路基板とボックス本体を示す分解斜視図である。
【図７】
回路基板ボックスを示す平面図である。
【図８】
同図（Ａ）は蓋体の取付片部がボックス本体にビス止めされた状態を示す部分断面図であり、同図（Ｂ）は回路基板ボックス内に装備用のワンウェイネジが収納された状態を示す部分断面図である。
【図９】
同図（Ａ）（Ｂ）はそれぞれワンウェイネジを示す説明図であり、同図（Ｃ）（Ｄ）はそれぞれ特殊マイナスドライバーを示す説明図である。
【図１０】
同図（Ａ）〜（Ｃ）はそれぞれ回路基板ボックスの復元手順を示す側面図である。
【図１１】
同図（Ａ）〜（Ｃ）はそれぞれ回路基板ボックスの交換手順を示す部分平面図であり、同図（Ｄ）は交換者と交換日が記入された交換履歴シールを示す平面図である。
【図１２】
同図（Ａ）〜（Ｂ）はそれぞれ蓋体の係合爪とボックス本体の係止溝との係合関係を示す説明図である。
【図１３】
同図（Ａ）（Ｂ）はそれぞれ回路基板の上面を覆う被覆部材を示す縦断面図である。
【図１４】
第二実施形態の弾球遊技機を示す背面図である。
【図１５】
第二実施形態の弾球遊技機を示す分解斜視図である。
【図１６】
第三実施形態の弾球遊技機を示す背面図である。
【図１７】
第四実施形態の弾球遊技機を示す分解斜視図である。
【図１８】
第四実施形態の弾球遊技機を示す背面図である。
【図１９】
同図（Ａ）は第四実施形態の回路基板ボックスを示す部分断面図であり、同図（Ｂ）は第五実施形態の回路基板ボックスを示す部分断面図である。
【図２０】
第六実施形態の弾球遊技機を示す背面図である。
【符号の説明】
１  弾球遊技機（遊技機）
４０  遊技盤
５０  機構板
６１  遊技制御回路基板（回路基板）
６２  回路基板ボックス（基板収納ボックス）
８０  蓋体
８１  上板
８２  溶着突起
８３ａ〜８３ｃ  取付片部（組付固着手段）
８４ａ・８５ａ  連結部（組付解除部）
８４ｂ・８４ｃ・８５ｂ・８５ｃ  連結部
８６ａ〜８６ｄ  取付穴
８９  機種名シール
９１  交換履歴シール
９３  蓋枠
１００  導電板
１０１  導電性繊維
１０４・１０５  ホログラムシール
１１０  ボックス本体（基体）
１１１  底板
１１６  本体枠
１３０  取付片（組付固着手段）
１３１〜１３４  取付穴
１３５〜１３７  装備片
１４０  ワンウェイネジ（組付固着手段）
１４５  特殊マイナスドライバー
１４８ａ〜１４８ｃ  取付突起（取付固着手段）
１４９ａ〜１４９ｄ  取付穴
１５０・１５０’  取付台（取付部）
１５５  止め穴
１５６ａ〜１５６ｃ  取付片部（取付固着手段、固着手段）
１５７ａ・１５８ａ  連結部（取付解除部、解除部）
１５７ｂ・１５７ｃ・１５８ｂ・１５８ｃ  連結部
１５９ａ〜１５９ｄ  取付穴
１６０  ワンウェイネジ（取付固着手段、固着手段）
１６７  配線
１６８  配線チューブ
１７０  弾球遊技機（遊技機）
１８０  弾球遊技機（遊技機）
１８１  遊技制御回路基板（回路基板）
１９０  取付基板（取付部）
２００  弾球遊技機（遊技機）
２０１  遊技制御回路基板（回路基板）
２０２  回路基板ボックス（基板収納ボックス）
２０３  ボックス本体（基体）
２０４  蓋体
２０５ａ〜２０５ｃ  取付突起（固着手段）